(57)【要約】【課題】電線に対する保護部材の取り付けも含めたブラケットの取り付け作業を円滑に行うことを可能にしたワイヤハーネス用ブラケット及びワイヤハーネス用ブラケットの製造方法を提供する。【解決手段】ワイヤハーネス用ブラケット１０は、金属製のブラケット本体１１と、ゴム製の保護部材２１とを備える。ブラケット本体１１は、車両に取り付けられる取付部１２と、ワイヤハーネスを構成する電線の外周に沿って曲げ変形させることで電線を保持するプレート部１３とを有する。保護部材２１は、電線の長さ方向における、プレート部１３の両端部のうち第１端部に嵌合する第１嵌合部２２と、第１嵌合部２２とは反対側の第２端部に嵌合する第２嵌合部２３とを有する。保護部材２１は、第１嵌合部２２及び第２嵌合部２３がプレート部１３に嵌合されることでブラケット本体１１に装着されている。【選択図】図１
2018098944.tif 000002
【特許請求の範囲】
【請求項１】
車両にワイヤハーネスを取り付ける用途に用いられるワイヤハーネス用ブラケットであって、
金属製のブラケット本体と、ゴム製の保護部材とを備え、
前記ブラケット本体は、車両に取り付けられる取付部と、前記ワイヤハーネスを構成する電線の外周に沿って曲げ変形させることで前記電線を保持するプレート部とを有し、
前記保護部材は、前記電線の長さ方向における、前記プレート部の両端部のうち第１端部に嵌合する第１嵌合部と、前記第１端部とは反対側の第２端部に嵌合する第２嵌合部とを有し、
前記第１嵌合部及び前記第２嵌合部が前記プレート部に嵌合されることで前記保護部材が前記ブラケット本体に装着されていることを特徴とするワイヤハーネス用ブラケット。
【請求項２】
請求項１に記載のワイヤハーネス用ブラケットにおいて、
前記保護部材は、前記プレート部における前記電線を保持する内面を被覆する被覆部を有し、前記被覆部は、前記第１嵌合部と前記第２嵌合部とを連結していることを特徴とするワイヤハーネス用ブラケット。
【請求項３】
請求項１又は請求項２に記載のワイヤハーネス用ブラケットにおいて、
前記第１嵌合部及び前記第２嵌合部における、前記プレート部の外面に沿って延在する外壁部は、前記電線の長さ方向において互いに離間していることを特徴とするワイヤハーネス用ブラケット。
【請求項４】
請求項１から請求項３のいずれか一項に記載のワイヤハーネス用ブラケットの製造方法であって、
前記保護部材が複数連なった連続体を前記第１嵌合部及び前記第２嵌合部が押出方向に沿って延在するように押出成形する成形工程と、
前記連続体を切断することで前記保護部材を形成する保護部材形成工程と、
前記保護部材の前記第１嵌合部及び前記第２嵌合部を前記ブラケット本体に嵌合させることで前記ブラケット本体に前記保護部材を装着する装着工程と、を備えることを特徴とするワイヤハーネス用ブラケットの製造方法。
【発明の詳細な説明】
【技術分野】
【０００１】
本発明は、ワイヤハーネスを車両に取り付ける用途に用いられるワイヤハーネス用ブラケット及びワイヤハーネス用ブラケットの製造方法に関する。
【背景技術】
【０００２】
ワイヤハーネスを車両に取り付ける際に、金属製のブラケットが用いられる場合がある。例えば、特許文献１に開示されるように金属製のブラケットは、ワイヤハーネスの外周に沿って曲げ変形させることでワイヤハーネスに取り付けられる。
【先行技術文献】
【特許文献】
【０００３】
【特許文献１】特開２００４−２２２３９３号公報
【発明の概要】
【発明が解決しようとする課題】
【０００４】
上記のように金属製のブラケットを電線に取り付ける場合、電線におけるブラケットの取り付け箇所には、電線を保護するためにゴム製のチューブ等の保護部材が取り付けられる場合がある。ここで、電線におけるブラケットの取り付け箇所は予め設定されているため、電線に対して保護部材を位置合わせして取り付けた後に、保護部材に対してさらにブラケットを位置合わせして取り付ける必要がある。このように、保護部材の取り付け作業も含めたブラケットの取り付け作業は、保護部材とブラケットを個別に位置合わせする必要があり、その作業が煩雑となっていた。
【０００５】
本発明は、上記課題を解決するためになされたものであって、その目的は、電線に対する保護部材の取り付けも含めたブラケットの取り付け作業を円滑に行うことを可能にしたワイヤハーネス用ブラケット及びワイヤハーネス用ブラケットの製造方法を提供することにある。
【課題を解決するための手段】
【０００６】
上記課題を解決するワイヤハーネス用ブラケットは、車両にワイヤハーネスを取り付ける用途に用いられるワイヤハーネス用ブラケットであって、金属製のブラケット本体と、ゴム製の保護部材とを備え、前記ブラケット本体は、車両に取り付けられる取付部と、前記ワイヤハーネスを構成する電線の外周に沿って曲げ変形させることで前記電線を保持するプレート部とを有し、前記保護部材は、前記電線の長さ方向における、前記プレート部の両端部のうち第１端部に嵌合する第１嵌合部と、前記第１端部とは反対側の第２端部に嵌合する第２嵌合部とを有し、前記第１嵌合部及び前記第２嵌合部が前記プレート部に嵌合されることで前記保護部材が前記ブラケット本体に装着されている。
【０００７】
上記のように、ゴム製の保護部材は、ブラケット本体に装着されているため、ワイヤハーネス用ブラケットを電線に取り付ける際に、電線に対する保護部材の位置合わせとブラケット本体の位置合わせを同時に行うことができる。
【０００８】
上記ワイヤハーネス用ブラケットにおいて、前記保護部材は、前記プレート部における前記電線を保持する内面を被覆する被覆部を有し、前記被覆部は、前記第１嵌合部と前記第２嵌合部とを連結していることが好ましい。
【０００９】
この構成によれば、保護部材の被覆部によって電線を好適に保護することができる。また、第１嵌合部と第２嵌合部とが被覆部によって連結されることで、ブラケット本体に保護部材が好適に保持される。
【００１０】
上記ワイヤハーネス用ブラケットにおいて、前記第１嵌合部及び前記第２嵌合部における、前記プレート部の外面に沿って延在する外壁部は、前記電線の長さ方向において互いに離間していることが好ましい。
【００１１】
この構成によれば、例えば、保護部材が軽量化されることで、ワイヤハーネス用ブラケットを軽量化することができる。
上記ワイヤハーネス用ブラケットの製造方法は、前記保護部材が複数連なった連続体を前記第１嵌合部及び前記第２嵌合部が押出方向に沿って延在するように押出成形する成形工程と、前記連続体を切断することで前記保護部材を形成する保護部材形成工程と、前記保護部材の前記第１嵌合部及び前記第２嵌合部を前記ブラケット本体に嵌合させることで前記ブラケット本体に前記保護部材を装着する装着工程と、を備えることが好ましい。
【００１２】
この方法によれば、例えば、射出用金型を用いて保護部材を射出成形するよりも、量産に好適となる。
【発明の効果】
【００１３】
本発明によれば、電線に対する保護部材の取り付けも含めたブラケットの取り付け作業を円滑に行うことが可能となる。
【図面の簡単な説明】
【００１４】
【図１】実施形態のワイヤハーネス用ブラケットを示す分解斜視図である。
【図２】（ａ）は、ワイヤハーネス用ブラケットを外面側から見た斜視図であり、（ｂ）は、ワイヤハーネス用ブラケットを内面側から見た斜視図である。
【図３】（ａ）及び（ｂ）は、ワイヤハーネス用ブラケットを電線に取り付ける工程を説明する斜視図である。
【図４】ワイヤハーネス用ブラケットの製造工程を説明する模式図である。
【発明を実施するための形態】
【００１５】
以下、ワイヤハーネス用ブラケット及びその製造方法の実施形態について説明する。ワイヤハーネス用ブラケットは、車両にワイヤハーネスを取り付ける用途に用いられる。
図１、図２（ａ）及び図２（ｂ）に示すように、ワイヤハーネス用ブラケット１０は、金属製のブラケット本体１１と、ゴム製の保護部材２１とを備えている。
【００１６】
ブラケット本体１１は、車両に取り付けられる取付部１２と、ワイヤハーネスを構成する電線Ｗの外周に沿って曲げ変形させることで電線Ｗを保持するプレート部１３とを有している。ブラケット本体１１の取付部１２は、例えば、ボルトを挿通する挿通孔を有し、ボルトとナットで車両の取付箇所に締結される。取付部１２の形状は、例えば、車両の取付箇所に応じて変更することができる。また、ブラケット本体１１の取付部１２は、車両の取付箇所に溶接で取り付けられるものであってもよい。
【００１７】
保護部材２１は、電線Ｗの長さ方向ＷＤにおける、プレート部１３の両端部のうち第１端部に嵌合する第１嵌合部２２と、第１端部とは反対側の第２端部に嵌合する第２嵌合部２３とを有している。保護部材２１は、第１嵌合部２２及び第２嵌合部２３がそれぞれプレート部１３に嵌合されることでブラケット本体１１に装着されている。
【００１８】
保護部材２１は、プレート部１３における電線Ｗを保持する内面１３ａを被覆する被覆部２４をさらに備えている。電線Ｗを保持する内面１３ａは、プレート部１３を電線Ｗの外周に沿って曲げ変形させる際の内周面となる。被覆部２４は、第１嵌合部２２と第２嵌合部２３とを連結している。
【００１９】
第１嵌合部２２は、プレート部１３の内面１３ａに沿って延在する内壁部２５と、プレート部１３の外面１３ｂに沿って延在する外壁部２６と、内壁部２５と外壁部２６とを連結するプレート部１３の厚さ方向に沿って延在する側壁部２７とを有している。第２嵌合部２３についても、第１嵌合部２２と同様に内壁部２５、外壁部２６、及び側壁部２７を有している。上記被覆部２４は、第１嵌合部２２の内壁部２５と第２嵌合部２３の内壁部２５とを連結している。
【００２０】
第１嵌合部２２の外壁部２６と第２嵌合部２３の外壁部２６とは、電線Ｗの長さ方向ＷＤにおいて互いに離間している。すなわち、プレート部１３の外面１３ｂの一部は露出している。詳述すると、プレート部１３の外面１３ｂは、取付部１２とプレート部１３とが連続する方向にわたって露出した部分を有している。
【００２１】
なお、保護部材２１を構成するゴム材料としては、例えば、エチレン・プロピレン・ジエンゴム（ＥＰＤＭ）が挙げられる。
次に、ワイヤハーネス用ブラケット１０の使用方法について説明する。
【００２２】
図３（ａ）に示すように、ワイヤハーネス用ブラケット１０を電線Ｗに重ねるように配置する。このとき、電線Ｗに対して所定の位置となるようにワイヤハーネス用ブラケット１０を位置決めする。次に、図３（ｂ）に示すように、保護部材２１をブラケット本体１１のプレート部１３とともに電線Ｗに巻き付けるように曲げ変形させる。保護部材２１は、プレート部１３の塑性変形により、電線Ｗに巻き付いた状態で保持される。このように電線Ｗに取り付けられたワイヤハーネス用ブラケット１０は、車両に装着されるワイヤハーネスの一部を構成し、ワイヤハーネス用ブラケット１０の取付部１２を車両に締め付け固定することで、電線Ｗを車両の所定の位置に配置することができる。このようなワイヤハーネス用ブラケット１０は、比較的太径の電線Ｗ（例えば、電動パーキングブレーキ（ＥＰＢ）用ハーネス）の配置に好適に用いられる。なお、電線Ｗは、電力供給用の電線及びセンサ等の信号線の少なくとも一方を含む。
【００２３】
次に、本実施形態のワイヤハーネス用ブラケット１０の製造方法について説明する。
図４に示すように、ワイヤハーネス用ブラケット１０の製造方法は、保護部材２１が複数連なった連続体３１を押出成形する成形工程と、連続体３１を切断することで保護部材２１を形成する保護部材形成工程と、ブラケット本体１１に保護部材２１を装着する装着工程とを備えている。
【００２４】
成形工程は、連続体３１を第１嵌合部２２及び第２嵌合部２３が押出方向に沿って延在するように押出成形する。すなわち、成形工程では、第１嵌合部２２の内側の溝、及び第２嵌合部２３の内側の溝が長手方向に延在した連続体３１を押出成形によって成形する。押出成形は、周知の押出成形機のダイ（口金）を連続体３１の断面形状に応じた形状に設定して行うことができる。
【００２５】
保護部材形成工程では、二点鎖線で示す切断線Ｌに沿って連続体３１を切断する。連続体３１の切断は、周知の切断刃を用いて行うことができる。
装着工程では、保護部材２１の第１嵌合部２２及び第２嵌合部２３をブラケット本体１１に嵌合させる。詳述すると、装着工程では、例えば、ブラケット本体１１のプレート部１３の内面１３ａ及び外面１３ｂに沿うように保護部材２１をスライドすることで、保護部材２１をブラケット本体１１に装着する。なお、保護部材２１を弾性変形させることで、保護部材２１の両端部の間からブラケット本体１１を差し込むようにして保護部材２１をブラケット本体１１に装着してもよい。
【００２６】
次に、本実施形態の作用効果について説明する。
（１）ワイヤハーネス用ブラケット１０は、金属製のブラケット本体１１と、ゴム製の保護部材２１とを備えている。ブラケット本体１１は、車両に取り付けられる取付部１２と、ワイヤハーネスを構成する電線Ｗの外周に沿って曲げ変形させることで電線Ｗを保持するプレート部１３とを有している。保護部材２１は、電線Ｗの長さ方向ＷＤにおける、プレート部１３の両端部のうち第１端部に嵌合する第１嵌合部２２と第２端部に嵌合する第２嵌合部２３とを有している。保護部材２１は、第１嵌合部２２及び第２嵌合部２３がプレート部１３に嵌合されることでブラケット本体１１に装着されている。
【００２７】
上記のように、ゴム製の保護部材２１は、ブラケット本体１１に装着されているため、ワイヤハーネス用ブラケット１０を電線Ｗに取り付ける際に、電線Ｗに対する保護部材２１の位置合わせとブラケット本体１１の位置合わせを同時に行うことができる。従って、電線Ｗに対する保護部材２１の取り付けも含めたブラケットの取り付け作業を円滑に行うことが可能となる。
【００２８】
また、プレート部１３の両端部における端縁と電線Ｗとの接触は、第１嵌合部２２及び第２嵌合部２３によって回避することができるため、保護部材２１によって電線Ｗを好適に保護することができる。従って、電線Ｗを高寿命化することが可能となる。
【００２９】
（２）保護部材２１は、プレート部１３における電線Ｗを保持する内面１３ａを被覆する被覆部２４を有している。被覆部２４は、第１嵌合部２２と第２嵌合部２３とを連結している。
【００３０】
この場合、保護部材２１の被覆部２４によって電線Ｗを好適に保護することができる。また、第１嵌合部２２と第２嵌合部２３とが被覆部２４によって連結されることで、ブラケット本体１１に保護部材２１が好適に保持される。
【００３１】
（３）第１嵌合部２２及び第２嵌合部２３における、プレート部１３の外面１３ｂに沿って延在する外壁部２６は、電線Ｗの長さ方向ＷＤにおいて互いに離間している。
この場合、例えば、保護部材２１が軽量化されることで、ワイヤハーネス用ブラケット１０を軽量化することができる。また、プレート部１３の外面１３ｂの一部が露出しているため、プレート部１３に直接外力を加えることで、プレート部１３を曲げ変形させることができる。このため、電線Ｗにワイヤハーネス用ブラケット１０を取り付ける際に、保護部材２１に不要な力が加わることを軽減し、保護部材２１の損傷を抑えることができる。
【００３２】
（４）ワイヤハーネス用ブラケット１０の製造方法は、上述した成形工程と保護部材形成工程と装着工程とを備えている。
この方法によれば、例えば、射出用金型を用いて保護部材２１を射出成形するよりも、量産に好適となる。また、保護部材２１の第１嵌合部２２及び第２嵌合部２３をブラケット本体１１に嵌合することで保護部材２１をブラケット本体１１に装着するため、例えば、保護部材２１とブラケット本体１１とを接着する接着層を省略することが可能となる。
【００３３】
上記実施形態を次のように変更して構成してもよい。
・保護部材２１は、例えば、押出成形を通じて製造されたものに限定されず、例えば、射出成形によって成形されたものであってもよい。
【００３４】
・保護部材２１において、プレート部１３の内面１３ａを覆う被覆部２４を省略してもよい。すなわち、保護部材２１は、第１嵌合部２２と第２嵌合部２３とが分割された二部材であってもよい。
【００３５】
・上記保護部材２１において、第１嵌合部２２の外壁部２６と第２嵌合部２３の外壁部２６とは互いに離間しているが、第１嵌合部２２の外壁部２６と第２嵌合部２３の外壁部２６とは、プレート部１３の外面１３ｂを覆う被覆部により連結されていてもよい。なお、この場合、保護部材２１において、上述したようにプレート部１３の内面１３ａを覆う被覆部２４を省略しても、第１嵌合部２２と第２嵌合部２３とが連結されるため、ブラケット本体１１に保護部材２１が好適に保持される。
【００３６】
・第１嵌合部２２及び第２嵌合部２３は、それぞれ単数に限定されず、第１嵌合部２２及び第２嵌合部２３の少なくとも一方は、複数に分割されていてもよい。
・保護部材２１は、プレート部１３の両端部に嵌合する第１嵌合部２２及び第２嵌合部２３以外の嵌合部をさらに備えていてもよい。保護部材２１は、例えば、取付部１２とは反対側となるプレート部１３の端部に嵌合する嵌合部をさらに備えていてもよい。すなわち、保護部材２１の嵌合部は、ボルトを挿通する挿通孔を避けるなど、車両に対するワイヤハーネス用ブラケット１０の取り付けを妨げない位置にさらに設けることもできる。
【００３７】
・プレート部１３において、保護部材２１の第１嵌合部２２と第２嵌合部２３との間の中間部分には、貫通孔が形成されていてもよい。
・ブラケット本体１１におけるプレート部１３の位置は、電線Ｗの長さ方向と直交する方向において、ブラケット本体１１の一端側に限定されず、ブラケット本体の中間部分をプレート部としてもよい。例えば、電線Ｗの長さ方向と直交する方向におけるブラケット本体の両端側を取付部として構成し、一対の取付部の間をプレート部としてもよい。
【００３８】
上記実施形態及び変更例から把握できる技術的思想を以下に記載する。
（イ）上記ワイヤハーネス用ブラケットにおいて、前記ブラケット本体に対して前記保護部材は、スライド可能に装着されていることを特徴とするワイヤハーネス用ブラケット。この構成によれば、ブラケット本体のプレート部を曲げ変形させた際に保護部材に不要な力が加わり難くなるため、保護部材の保護機能が好適に発揮され易くなる。
【００３９】
（ロ）ワイヤハーネス用ブラケットの製造方法において、前記成形工程における連続体を形成する前記複数の保護部材は、前記第１嵌合部と前記第２嵌合部とが前記プレート部の内面又は外面を被覆する被覆部により連結された構成を有することを特徴とするワイヤハーネス用ブラケットの製造方法。この方法によれば、連結体から保護部材形成工程を通じて得られる保護部材は、第１嵌合部と第２嵌合部が被覆部によって一体となった一体成形品であるため、装着工程において保護部材をブラケット本体に装着することが容易となる。
【符号の説明】
【００４０】
１０…ワイヤハーネス用ブラケット、１１…ブラケット本体、１２…取付部、１３…プレート部、１３ａ…内面、１３ｂ…外面、２１…保護部材、２２…第１嵌合部、２３…第２嵌合部、２４…被覆部、２６…外壁部、３１…連続体、Ｗ…電線、ＷＤ…長さ方向。
【図１】
2018098944.tif 000003
【図２】
2018098944.tif 000004
【図３】
2018098944.tif 000005
【図４】
2018098944.tif 000006